(57)【特許請求の範囲】
【請求項１】
コネクタ本体の一端に複数本のピンを有し、これらのピンに接続された多芯コードを他端のコネクタカバーから導出してなる多極コードコネクタにおいて、前記コネクタカバーの先端部に、前記多芯コードを屈曲して係止する屈曲クランプ部を形成し、コネクタカバーの先端部は、少なくとも側面部を有し、この側面部に多芯コードと略同一径かやや大きめの半円形の切欠きからなる屈曲クランプ部を形成し、屈曲クランプ部は、コネクタカバーの基部側では、屈曲クランプ部の高さが略多芯コードの略半径位置にあり、コネクタカバーの先端側では、高さが多芯コードの半径以上の高さを有し、この半径以上の高さを有する部分が基部側にやや回り込むように伸びた係止部を形成して、多芯コードを屈曲してクランプするとき、多芯コードの復元力により前期係止部に係止されることにより、クランプし易く、しかもクランプした後、外れないようにしたことを特徴とする多極コードコネクタ。
【発明の詳細な説明】
【０００１】
【発明の属する技術分野】
本発明は、電源、信号などを供給するときに使用される多極コードコネクタに関するもので、例えば、通信機器やオーディオ機器を車両内に搭載する場合など、収納場所の狭い限られたところに使用される多極コードコネクタに関するものである。
【０００２】
【従来の技術】
一般に、＋と−のコードだけのピン、ジャックなどのコネクタでは、ピンとジャックが円形であるため、差し込みに方向性を持たず、差し込んだ後でも自由に回動できる。
【０００３】
しかるに、差し込みに方向性を有する従来の多芯コードコネクタ１５の場合、図５に示すように、コネクタ本体１６に多芯コード１２を接続し、コネクタカバー１７を被せ、このコネクタカバー１７から直接多芯コード１２を導出したものとか、図６に示すように、コネクタカバー１７から屈曲防止部１４を介して多芯コード１２を導出したものなどがある。
【０００４】
【発明が解決しようとする課題】
図５（ａ）（ｂ）に示すように、従来の多芯コードコネクタ１５を機器本体１０に差し込んだとき、多芯コード１２が障害物１１の方向に向いていて、かつ、コネクタカバー１７の端部と障害物１１との隙間１３が狭い場合、コネクタカバー１７から直接多芯コード１２を導出した従来の多芯コードコネクタ１５では、多芯コード１２の導出基部１８を直角に折り曲げることによりどうにか使用可能である。
【０００５】
ところが、機器本体１０から従来の多芯コードコネクタ１５を抜き差しする度に多芯コード１２の導出基部１８を折り曲げて隙間１３に嵌め込まなければならないので、抜き差しの動作が面倒であるばかりか、多芯コード１２に矢印方向に負荷がかかることにより、従来の多芯コードコネクタ１５にも矢印方向に捩じれの力がかかり、接続部分に変形や接続不良が生じるおそれがある。また、多芯コード１２を導出基部１８で何回も屈曲すると、内部の芯線が切断する事故のもとになる。
【０００６】
図６に示すように、多芯コード１２における導出基部１８の部分が鋭角に屈曲するのを防止するように屈曲防止部１４を設けたものでは、多芯コード１２の導出基部１８における屈曲角度が大きいので、内部の芯線が切断する事故の発生は少なくなるが、図５に示すように、コネクタカバー１７と障害物１１との隙間１３が狭い場合には使用できない、などの問題があった。
【０００７】
本発明は、多芯コード１２を鋭角に曲げて使用することができるだけでなく、接続部分に変形や接続不良が生じることがなく、さらに、内部の芯線が切断する事故の発生しないものを提供することを目的とするものである。
【０００８】
【課題を解決するための手段】
本発明は、コネクタ本体１６の一端に複数本のピン２０、２１を有し、これらのピン２０、２１に接続された多芯コード１２を他端のコネクタカバー１７から導出してなる多極コードコネクタ９において、前記コネクタカバー１７の先端部に、前記多芯コード１２を屈曲して係止する屈曲クランプ部２６を形成したもので、コネクタカバー１７の先端部は、少なくとも側面部２４を有し、この側面部２４に多芯コード１２と略同一径かやや大きめの半円形の切欠きからなる屈曲クランプ部２６を形成して、屈曲クランプ部２６は、コネクタカバー１７の基部側では、屈曲クランプ部２６の高さが略多芯コード１２の略半径位置にあり、コネクタカバー１７の先端側では、高さが多芯コード１２の半径以上の高さを有し、この半径以上の高さを有する部分が基部側にやや回り込むように伸びた係止部を形成して、多芯コード１２を屈曲してクランプするとき、多芯コード１２の復元力により前期係止部に係止されることにより、クランプし易く、しかもクランプした後、外れないようにしてなる多極コードコネクタ９である。
【００１０】
このように構成された多極コードコネクタ９は、多芯コード１２が屈曲クランプ部２６に係止して屈曲されたまま固定されている状態で、機器本体１０に抜き差しする。そのため、従来のような障害物１１から受ける力を多芯コード１２を介してコネクタカバー１７やコネクタ本体１６の回動する力に伝達するのではなく、多芯コード１２が屈曲することにより発生する力は、多極コードコネクタ９のコネクタカバー１７で吸収して、抜き差しに拘らず屈曲状態を保持しているので、機器本体１０と多極コードコネクタ９との間の接続部分に変形や接続不良が生じる力が働くことはない。また、多芯コード１２が屈曲した状態での抜き差しの動作が簡単で、しかも、内部の芯線が切断する事故もない。
【００１１】
【発明の実施の形態】
以下、本発明の実施例を図面に基づき説明する。
図２および図３において、１６は、プラスチックなどからなるコネクタ本体で、このコネクタ本体１６には、下向きに（図２の記載では上向きに）導電性金属からなる角筒状のアース金具１９が設けられ、その内部には、電源ピン２０（例えば２本）と信号ピン２１（例えば１０本）が所定間隔で配置されているとともに、メインガイド兼ロック部２２とサイドガイド部２３が設けられている。
【００１２】
前記コネクタ本体１６の内部では、多芯コード１２の各芯線が、前記アース金具１９、電源ピン２０、信号ピン２１に接続されて側方に導出され、この多芯コード１２の導出部分には、上面からコネクタカバー１７を被せ、下面から下カバー２８を被せている。以上の構成は、従来の多芯コードコネクタ１５と同様である。
【００１３】
本発明では、前記上面から被せるコネクタカバー１７をさらに延長してこの部分に屈曲クランプ部２６を形成したものである。
さらに詳しくは、前記コネクタカバー１７は、延長部分の両側面部２４に半円形の切欠きからなる屈曲クランプ部２６を多芯コード１２と直角方向に形成し、先端面部２５に半円形の切欠きからなる直線保持部２７を多芯コード１２と直線方向に形成したもので、これら屈曲クランプ部２６と直線保持部２７は、多芯コード１２と略同一径かやや大きめに形成してある。また、屈曲クランプ部２６は、多芯コード１２を屈曲してクランプするとき、クランプし易く、しかもクランプした後、外れないように、コネクタカバー１７の基部側では、屈曲クランプ部２６の高さが略多芯コード１２の半径位置にあるが、コネクタカバー１７の先端側では、基部側にやや回り込むように伸ばした形状としてある。
【００１４】
このように構成された多極コードコネクタ９を、図５と同様、機器本体１０の近くに障害物１１があるようなところに使用する場合には、図３に示すように、多芯コード１２の導出基部１８を鋭角に屈曲して左右いずれかの屈曲クランプ部２６に係止して、多芯コード１２を略直角に屈曲する。
【００１５】
多芯コード１２が屈曲クランプ部２６に係止して屈曲されたまま固定されている状態で、図１（ａ）（ｂ）に示すように機器本体１０に抜き差しする。このように屈曲したまま固定された多極コードコネクタ９を使用することにより、従来のような障害物１１から受ける力をコネクタカバー１７やコネクタ本体１６の回動する力に伝達するのではなく、多極コードコネクタ９で全て吸収するので、機器本体１０と多極コードコネクタ９との間の接続部分に変形や接続不良が生じる力が働くことはない。また、多芯コード１２の屈曲による抜き差しの動作が簡単で、しかも、内部の芯線が切断する事故もない。
【００１６】
図４は、多芯コード１２を鈍角に屈曲する場合を示す本発明の他の実施例であり、この例では、屈曲クランプ部２６の長さＬ１を鋭角に屈曲する場合の長さＬ０より長くしたものである。
【００１７】
また、多芯コード１２を左右いずれかに屈曲する場合に限られるものではなく、上面に屈曲できるように、コネクタカバー１７の天板部分に屈曲クランプ部２６を形成してもよい。
【００１８】
前記実施例では、コネクタ本体１６からアース金具１９が伸びる方向とコネクタカバー１７が伸びる方向が直角の、いわゆるＬ型コネクタの例を説明したが、アース金具１９とコネクタカバー１７が一直線状のものなど、コネクタの基本形状には特に限定されるものではない。
【００１９】
【発明の効果】
本発明による多極コードコネクタ９は、コネクタカバー１７の先端部に、多芯コード１２を屈曲して係止する屈曲クランプ部２６を形成したので、多芯コード１２が屈曲クランプ部２６に係止して屈曲されたまま固定されている状態で、機器本体１０に抜き差しできる。そのため、従来のような障害物１１から受ける力を多芯コード１２を介してコネクタカバー１７やコネクタ本体１６の回動する力に伝達するのではなく、多芯コード１２が屈曲することにより発生する力は、多極コードコネクタ９のコネクタカバー１７で吸収して、抜き差しに拘らず屈曲状態を保持しており、機器本体１０と多極コードコネクタ９との間の接続部分に変形や接続不良が生じる力が働くことはない。また、多芯コード１２が屈曲した状態での抜き差しの動作が簡単で、しかも、内部の芯線が切断する事故もない。
【００２０】
また、コネクタカバー１７の先端部は、少なくとも側面部２４を有し、この側面部２４に多芯コード１２と略同一径かやや大きめの半円形の切欠きからなり、屈曲クランプ部２６は、コネクタカバー１７の基部側では、屈曲クランプ部２６の高さが略多芯コード１２の半径位置にあるが、コネクタカバー１７の先端側では、高さが多芯コード１２の半径以上の高さを有し、この半径以上の高さを有する部分が基部側にやや回り込むように伸びた係止部を形成したので、多芯コード１２を屈曲してクランプするとき、多芯コード１２の復元力により前期係止部に係止されることにより、クランプし易く、しかもクランプした後、外れることがないという効果を有する。
【図面の簡単な説明】
【図１】本発明による多極コードコネクタ９の使用例を示すもので、（ａ）は、使用状態の正面図、（ｂ）は、使用状態の側面図である。
【図２】本発明による多極コードコネクタ９の一実施例を示す斜視図である。
【図３】本発明による多極コードコネクタ９の底面図である。
【図４】本発明による多極コードコネクタ９の他の実施例を示す要部の底面図である。
【図５】従来の多芯コードコネクタ１５の使用例を示すもので、（ａ）は、使用状態の正面図、（ｂ）は、使用状態の側面図である。
【図６】従来の他の従来の多芯コードコネクタ１５の正面図である。
【符号の説明】
９…本発明の多極コードコネクタ、１０…機器本体、１１…障害物、１２…多芯コード、１３…隙間、１４…屈曲防止部、１５…従来の多芯コードコネクタ、１６…コネクタ本体、１７…コネクタカバー、１８…導出基部、１９…アース金具、２０…電源ピン、２１…信号ピン、２２…メインガイド兼ロック部、２３…サイドガイド部、２４…側面部、２５…先端面部、２６…屈曲クランプ部、２７…直線保持部、２８…下カバー。
【図１】
0003652484.tif 000002
【図２】
0003652484.tif 000003
【図３】
0003652484.tif 000004
【図４】
0003652484.tif 000005
【図５】
0003652484.tif 000006
【図６】
0003652484.tif 000007